(57)【要約】【課題】  本発明は、複数のメモ用シートからなるメモパッド部と切り取り可能な情報表示片とが一体となったメモ帳の提供を目的とする。また、情報表示片を切り取っても、複数のメモ用シートを綴じる部分を被うことができ、メモパッド部の上下に他のメモ用シートを有するメモ用シートを切り離しても、メモパッド部が分断されることなく、そして、複数のメモ用シートを綴じる部分の経時劣化や物理的衝撃による破損等を受け難くすることができるメモ帳を提供することを目的とする。【解決手段】  本発明は、複数のメモ用シートを重ねたメモパッド部と前記メモパッド部の表面を被うように形成される表紙部とを有し、前記表紙部には、所要の形状の情報表示片、表紙残り部、前記情報表示片または前記表紙残り部とを分断できる切り取り線が形成されることを特徴とするメモ帳を提供する。【選択図】  図４
2005161732.tif 000002
【特許請求の範囲】
【請求項１】
複数のメモ用シートを重ねたメモパッド部と
前記メモパッド部の表面を被うように形成される表紙部とを有し、
前記表紙部には、所要の形状の情報表示片と表紙残り部とを分断できる切り取り線が形成されることを特徴とするメモ帳。
【請求項２】
前記情報表示片の所要の形状が、名刺サイズまたは葉書サイズであることを特徴とする請求項１記載のメモ帳。
【請求項３】
前記表紙残り部に広告を有することを特徴とする請求項１記載のメモ帳。
【請求項４】
前記広告に特典を付することを特徴とする請求項３記載のメモ帳。
【発明の詳細な説明】
【技術分野】
【０００１】
本発明は情報表示片を有するメモ帳に関する。
【背景技術】
【０００２】
従来から、商品の販売や情報収集等において、名刺や葉書等の情報表示片を配布することが多く、また、このような場合、販売促進の目的等でメモ帳のような商品も一緒に配布することがある。しかしながら、名刺や葉書とメモ帳とを配布する場合、名刺や葉書とメモ帳とをそれぞれ準備し、配布しなければならない。これは、名刺や葉書とメモ帳とを配布する者（以下、配布者）にとって負担であった。また、メモ帳は、便利であるためメモ帳を受け取る者（以下、受取人）に注目されるものの、一緒に配布された名刺や葉書は、受取人に注目されないこともあった。
【０００３】
そこで、メモ用シートと名刺又は葉書とを一体としたものが提案されている。メモ用シートと名刺を一体としたものとして、複数のメモ用シートを名刺の裏面に取り付けたもの（例えば、特許文献１参照。）、複数のメモ用シートに切り取り可能な名刺を有するもの（例えば、特許文献２参照）、再貼付再剥離可能な接着剤が塗布された複数のメモ用シートを重ね合わせてなるメモパッド部の表紙に名刺を配したもの（例えば、特許文献３参照）が提案されている。一方、メモ用シートと葉書を一体としたものとして、メモ用シートと葉書を一緒に綴じた手帳が考案されている（例えば、特許文献４参照）。
【特許文献１】実開平０１−０９５３７５号公報
【特許文献２】実開平０３−１０１６６７号公報
【特許文献３】実開昭６２−０１１６６９号公報
【特許文献４】実開平０４−０４５７７２号公報
【発明の開示】
【発明が解決しようとする課題】
【０００４】
上記特許文献１から３は、名刺を表紙とし、その名刺と同じサイズの複数のメモ用シートを接着剤等で綴じたメモパット部をその名刺の裏側に取り付けた形状のものである。したがって、表紙である名刺を切り取ると、メモパッド部のみとなり、複数のメモ用シートを綴じた部分（以下、綴込部）を被うものがなくなってしまう。これにより、上記特許文献１および２の考案は、上下に他のメモ用シートが存在するメモ用シート（以下、中位のメモ用シート）をメモパッド部から切り取る場合、メモパッド部が中位のメモ用シートを境とする上部と下部に分断されてしまう。また、綴込部の経時劣化や物理的衝撃による破損等で、メモ用シートがバラバラになる可能性が高くなる。上記特許文献３の考案は、メモパッド部の接着部にほこり等が進入しやすくなり、接着剤の接着力がより低下する可能性がある。
【０００５】
特許文献４の考案は、手帳であるため、メモ用紙と葉書の他にスケジュール欄を有している。したがって、この手帳を販売促進の目的等に利用すると、手帳にかかる費用等の経済的負担がかかってしまう。
【０００６】
本発明は、このような従来の実情に鑑みて提案されたものであり、複数のメモ用シートからなるメモパッド部と名刺や葉書等の切り取り可能な情報表示片とが一体となったメモ帳を提供することを目的とする。また、情報表示片を切り取っても、綴込部を被うことができ、中位のメモ用シートをメモパッド部から切り離しても、メモパッド部が分断されることがないメモ帳を提供することを目的とする。そして、綴込部の経時劣化や物理的衝撃による破損等を受け難くすることができるメモ帳を提供することを目的とする。また、切り取った情報表示片は、通常利用されている名刺または葉書と何ら変わらずに利用できるものを提供することを目的とする。
【課題を解決するための手段】
【０００７】
本発明は、複数のメモ用シートを重ねたメモパッド部と前記メモパッド部の表面を被うように形成される表紙部とを有し、前記表紙部には、所要の形状の情報表示片と表紙残り部とを分断できる切り取り線が形成されることを特徴とする。
【０００８】
本発明により、メモ帳は、名刺または葉書等の切り取り可能な情報表示片と一体となり、商品の販売や情報収集等において、メモ帳と名刺や葉書を配布する際の配布者の負担を軽減させることができる。
【０００９】
また、本発明に係るメモ帳の表紙部は、情報表示片、表紙残り部、情報表示片と表紙残り部を分断できる切り取り線により構成されているため、情報表示片を切り取っても、表紙残り部により綴込部を被うことができる。したがって、中位のメモ用シートをメモパッド部から切り取っても、メモパッドが分断されない。また、綴込部の経時劣化や物理的衝撃による破損等で、メモ用シートがバラバラになる可能性を低下させることができる。
【００１０】
さらに、本発明は、上記情報表示片の所要の形状が名刺サイズまたは葉書サイズであることを特徴としているメモ帳である。
【００１１】
これにより、メモ帳の表紙部から切り取った名刺は、名刺ホルダー等に入れることができる。そして、メモ帳の表紙部から切り取った葉書は、葉書として利用することができる。
【００１２】
さらに、上記表紙残り部に広告を付することを特徴とするメモ帳である。また、広告に特典を付することを特徴とするメモ帳である。
【００１３】
これにより、受取人は、広告の情報と特典が得られる。また、広告を有することにより、メモ帳を受取人に注目させることができ、それに伴い、情報表示片も受取人に注目させることができる。
【発明の効果】
【００１４】
本発明は、切り取り可能な情報表示片と一体となったメモ帳を提供することにより、商品の販売や情報収集等において、配布者の負担を軽減させることができる。また、本発明は、情報表示片を切り取っても、表紙残り部により綴込部を被うことができるメモ帳を提供することにより、中位のメモ用シートをメモパッド部から切り取ってもメモパッド部が分断されず、また、経時劣化または物理的衝撃による破損で、メモ用シートがバラバラになる可能性を低くすることができる。さらに、表紙残り部に広告を付し、さらに、その広告に特典を付することにより、メモ帳を受取人に注目させることができ、それに伴い、情報表示片も受取人に注目させることができる。したがって、商品の販売や情報収集等において、本発明に係るメモ帳は有効であるといえる。
【発明を実施するための最良の形態】
【００１５】
本発明に係るメモ帳の好ましい実施の形態について説明する。
【００１６】
本発明の実施の形態について、表紙に情報表示片として機能する名刺を有するメモ帳について図面を参照しながら説明する。
【００１７】
本発明に係るメモ帳１は、図１に示すとおり、後で説明する切取名刺部６の長辺を１辺とする正方形の無地の紙である複数のメモ用シート２を重ね、前記メモ用シート２を綴じるために接着剤を塗布してなる接着層である綴込部１１を１つの側面に形成したメモパッド部３を有している。また、メモ帳１は、綴込部１１及びメモパッド部３の一方表面（以下、メモパッド部の上面）を被う表紙４と、この表紙４に接しないメモパッド部３の表面（以下、メモパッド部の底面）に配置された裏表紙５とにより構成されている。なお、本発明において、表紙部とは、表紙４、裏表紙５を含み、より詳しくは、下記で説明する切取名刺部６、表紙残部７、広告部９、付加価値部１０を含むものである。また、本発明において、表紙残り部とは、表紙残部７、裏表紙５を含むものであり、より詳しくは、表紙残部７、広告部９、付加価値部１０を含むものである。
【００１８】
図２は、本発明に係るメモ帳１の表紙４を示す斜視図である。メモパッド部３の上面と綴込部１１を被うことができる大きさの略長方形の紙等の材料で形成される表紙４は、切り取り線８を介して、上記綴込部１１側に略長方形の表紙残部７が、上記綴込部１１の反対側に、例えば、通常使用されている名刺の大きさ、縦５５ｍｍ×横９１ｍｍ（以下、通常名刺サイズ）の長方形の切取名刺部６が設けられている。そして、直線状のミシン目処理が施された前記切り取り線８は、前記切取名刺部６と前記表示残部７の間に設けられている。切取名刺部６は情報表示片として機能する名刺であり、氏名、所属企業名、電話番号、ファックス番号、イーメールアドレスが表示されている。前記表紙残部７は、前記切取名刺部６が切り取られることを考慮し、切取名刺部６と同じ内容が印刷されている。
【００１９】
図３は、本発明に係るメモ帳１の裏表紙５を示す斜視図である。メモ用シート２と同じ大きさ及び形状の紙等の材料で形成される裏表紙５は、切り取り線１２を介して、上記綴込部１１側に略長方形の広告部９が、上記綴込部１１の反対側に略長方形の付加価値部１０が設けられている。そして、直線状のミシン目処理が施された前記切り取り線１２は、前記広告部９と前記付加価値部１０の間に設けられている。広告部９は、例えば、美術館の広告のように、広告が印刷されている。付加価値部１０は、例えば、美術館の割引券等が印刷されている。広告部９および付加価値部１０を設けることにより、メモ帳１を受取人に注目させることができ、それに伴い、切取名刺部６も受取人に注目させることができる。
【００２０】
上記のように、本発明に係るメモ帳１は、メモをすることができるメモ用シート２と名刺として機能する切取名刺部６が一体となっているものであり、メモ帳１を配布することで、名刺とメモ帳を一緒に配布することができる。また、メモ帳１は、メモができるだけでなく、切取名刺部６を切り取らなければ、名刺の情報を伝達することもできる。
【００２１】
メモ帳１は、図４に示すとおり、切り取り線８に沿って切取名刺部６を切り取ることができる。切り取った切取名刺部６は、名刺として機能し、名刺ホルダー等に入れることができる。また、切取名刺部６を切り取っても、メモ帳１にはメモ用シート２があるため、切取名刺部６を切り取る前と同様にメモ用シート２にメモをすることができる。
【００２２】
綴込部１１は、表紙４に、より具体的には表紙残部７に被われている。したがって、中位のメモ用シート２をメモパッド部３から切り取っても、綴込部１１は表紙残部７により保護されているため、メモパッド部３が分断されない。また、経時劣化や物理的衝撃による破損によりメモ用シート２がバラバラになる可能性を低くすることができる。一方、綴込部１１は、表紙４から切取名刺部６を切り取っても、表紙残部７によって被われている。したがって、切取名刺部６を切り取る前と同様に、中位のメモ用シート２をメモパッド部３から切り取っても、綴込部１１は表紙残部７に保護され、メモパッド部３が分断しない。また、経時劣化や物理的衝撃による破損によりメモ用シート２がバラバラになる可能性を低くすることができる。
【００２３】
以上が、本発明に係るメモ帳１の具体例であるが、本発明は以下のように応用することもできる。
【００２４】
メモ用シート２は、具体例のとおり無地だけでなく、罫線、イラスト、日付を記載する欄等が印刷されていてもよい。また、下記に詳細に述べるが、広告部９に広告を印刷する場合、その広告内容に関連する絵、図形、文字等が印刷されていてもよい。例えば、裏表紙５に例えば美術館の広告を印刷した場合、メモ用シート２には、その美術館にある絵画や彫刻等の絵を印刷してもよい。また、裏表紙５に例えばゴルフ場の広告を印刷した場合、このメモ用シート２には、そのゴルフ場のコースレイアウト図を印刷してもよい。このとき、印刷する絵等は、ハーフトーン等でメモをすることを妨げないようにしてもよい。メモ用シート２は、具体例で示した正方形以外に、長方形やその他の多角形、複数の図形を組み合わせた図形等の形状でもよい。また、メモ用シート２の枚数は、特に定めていないが、変えることができる。メモ用シート２の枚数を多くした場合、メモする部分が多くなるため便利である。一方、メモ用シート２の枚数を少なくした場合、メモ帳を薄くすることができる。メモ用シート２の材質は、具体例で示した紙以外に、その他のものでも良い。例えば、木材、プラスチック等をシート状に加工したシート材を利用してもよい。
【００２５】
メモパッド部３は、具体例において、複数のメモ用シート２を重ね、接着剤によって綴じたものであるが、複数のメモ用シート２を綴じずに重ねてもよい。例えば、複数のメモ用シート２が綴じられていない場合、複数のメモ用シート２の順序を入れ替えることができる。また、複数のメモ用シート２を綴じる方法としては、メモ用シート２を重ね、綴糸、金属製綴じ具などを利用してメモ用シート２を綴じてもよい。また、その他に、複数のメモ用シート２を重ねる面の一部に再貼付再剥離可能な接着剤を塗布し、その接着剤を塗布した面同士を貼り合わせることなくメモ用シート２を重ねることにより、メモ用シート２を綴じてもよい。このとき、本発明においては、前記接着剤を塗布した接着部も表紙４または表紙残部７によって被われるため、接着部にほこり等が進入する可能性を低くすることができる。なお、メモパッド部３は、複数のメモ用シート２を重ねたものであるが、本発明においては、１枚のメモ用シート２を複数回折り重ねたものもメモパッド部３に含むものとする。
【００２６】
切取名刺部６は、切り取って名刺として利用できるように、配布者の氏名、所属企業名、電話番号、ファックス番号、イーメールアドレスを表示しているが、目的に応じて表示内容を変更してもよい。また、配布者のペンネーム、写真、個人情報、イラスト等を表示してもよい。そして、上記表示内容は、具体例のとおり、メモパッド部３の上面に接しない表紙４の面（以下、表紙のおもて面）の切取名刺部６に印刷しているが、メモパッド部３の上面に接する表紙４の面（以下、表紙のうら面）の切取名刺部６に印刷してもよい。また、上記表示内容を印刷した切取名刺部６の反対側の面は、具体例において、何も印刷されていないが、配布者の氏名、所属企業の事業内容、住所、電話番号、配布者の個人情報、写真、文字、イラスト等が印刷されていてもよい。切取名刺部６の形状は、通常名刺サイズの長方形であるが、それ以外の大きさの長方形でもよい。例えば、縦４９ｍｍ×横８５ｍｍ、縦６１ｍｍ×横１００ｍｍ、縦５１ｍｍ×横８９ｍｍ等の長方形でもよい。また、長方形の４つの角を丸く切り落とした形状でもよい。さらに、正方形等の四角形、その他多角形でもよい。切取名刺部６の厚さは、特に定めていないが、通常使用されている名刺の厚さ、０．２ｍｍでもよく、それより薄くても、厚くてもよい。切取名刺部６は、具体例に示されているとおり、１枚でもよいが、複数枚あってもよい。例えば、メモ帳１に切取名刺部６が２枚ある場合、表紙４に切取名刺部６を並べて配してもよいが、表紙４に配された名刺の他にメモパッド部３の１枚目に表紙４と同様に切り取り線を入れ、もう一枚の名刺を配してもよい。メモ用シート２の材質は、具体例で示した紙以外に、その他のものでも良い。例えば、木材、プラスチック等をシート状に加工したシート材を利用してもよい。
【００２７】
表紙残部７は、具体例のとおり、切取名刺部６を切り取ることを考慮し、配布者の情報が表示されているが、何も表示されていなくてもよい。この内容としては、切取名刺部６に表示した内容、配布者の所属する企業の事業内容、配布者の個人情報、写真、文字、イラスト、広告等が挙げられる。また、上記内容は、表紙４のおもて面の表紙残部７に印刷しているが、表紙４のうら面の表紙残部７に印刷してもよい。上記内容を印刷した表紙残部７の裏側は、何も印刷されていなくてもよいが、配布者の氏名、所属企業の事業内容、住所、電話番号、配布者の個人情報、写真、文字、イラスト、広告等を印刷してもよい。表紙残部７の厚さは、特に定めていないが、通常利用されている名刺の厚さでもよく、それより薄くても、厚くてもよい。表紙残部７の材質は、具体例で示した紙以外に、その他のものでも良い。例えば、木材、プラスチック等をシート状に加工したシート材を利用してもよい。
【００２８】
上記切取名刺部６と上記表紙残部７を分断する切り取り線８は、具体例のとおり、ミシン目等の処理が施されていてもよいが、ミシン目等の処理が施されずに、点線等の切り取り線が印刷されていてもよい。また、切り取り線８は、具体例のとおり、直線であってもよいが、折れ曲がっている線でも、曲線でもよい。また、切り取り線８は１本に限らず複数あっても良く、複数の線が交差していてもよい。例えば、メモ帳１の表紙４に切取名刺部６を２枚配する場合、切り取り線８は、切取名刺部６と表紙残部７とを分断する位置だけでなく、２枚の切取名刺部６を分断する位置にあってもよい。
【００２９】
裏表紙５は、具体例において、メモパッド部３の底面に配置されているが、裏表紙５がなくてもよい。そして、裏表紙５は、具体例において、例えば、美術館等の広告が印刷される広告部９と、例えば、美術館の割引券等が印刷される付加価値部１０とを設けているが、これらを設けなくてもよい。例えば、広告部９と付加価値部１０を設けない場合、裏表紙５は、何も印刷しなくてもよい。また、具体例において、これら広告部９、付加価値部１０は、切り取り線１２を介して、綴込部１１側に広告部９が、綴込部１１の反対側に付加価値部１０が配置されているが、その逆でもよい。広告部９は、具体例で示した美術館の広告以外に、ゴルフ場、遊園地、百貨店、飲食店等の広告が印刷されていてもよい。付加価値部１０は、具体例で示した割引券に限らず、優待券、金券、くじ等でもよく、これらは、前記広告部９に関連していても、関連していなくてもよい。切り取り線１２は、具体例のとおりミシン目等の処理が施されていてもよいが、ミシン目等の処理が施されずに、点線等の切り取り線が印刷されていてもよい。また、広告部９と付加価値部１０を分断する切り取り線１２は、具体例のとおり直線であってもよいが、折れ曲がっている線でも、曲線でもよい。また、切り取り線１２は１本に限らず複数あっても良く、複数の線が交差していてもよい。
【００３０】
以上が本発明に係る情報表示片として機能する名刺を有するメモ帳に関する実施の形態であるが、本発明に係るメモ帳の情報表示片は名刺でなくてもよい。情報表示片としては、アンケート用の葉書、電車やバスの時刻表、カレンダー等が挙げられる。
【００３１】
例えば、上記具体例の情報表示片として機能する切取名刺部６を切取葉書部にし、葉書と一体となったメモ帳に応用することができる。その応用例として、図５のようなメモ帳１３が挙げられる。メモ帳１３は、下記で説明する切取葉書部１６の長辺よりも長い１辺及び切取葉書部１６の短辺からなる略長方形の紙等の材料で形成される複数のメモ用シートを重ねてなるメモパッド部１４と、そのメモパッド部１４の上面及び１つの側面を被う表紙１５とを有し、その表紙１５は、切り取り線１８を介して、その表紙１５により被われたメモパッド部の１つの側面側に表紙残部１７を、その側面側の反対側に切取葉書部１６を設けたものである。メモ帳１３の切取葉書部１６は、例えば、切取葉書部１６がアンケート用の葉書である場合、メモパッド部の上面と接する切取葉書部の面に質問事項及びその回答欄が印刷されていてもよい。その他に、商品注文用の葉書、懸賞葉書、絵葉書でもよい。切取葉書部１４の大きさは、縦１４８ｍｍ×横１００ｍｍであるが、それ以外の大きさでもよい。例えば、縦１５４ｍｍ×横１０７ｍｍ、縦１４０ｍｍ×横９０ｍｍ等の大きさでもよく、往復葉書の縦１４８ｃｍ×横２００ｍｍの大きさでもよい。切取葉書部１６の厚さは、通常使用されている葉書の厚さであるが、それより薄くても、厚くてもよい。切取葉書部１６は、図５に示すとおり、１枚であるが、複数枚あってもよい。切取葉書部１４の材質は、紙であるが、その他のものでもよい。例えば、その材質として、木材、布、プラスチック等などが挙げられる。
【００３２】
上記が、本発明に係るメモ帳の実施の形態であるが、本発明は、その趣旨を逸脱しない範囲で適宜変更が可能であることはいうまでもない。
【図面の簡単な説明】
【００３３】
【図１】情報表示片として機能する名刺を有するメモ帳の側面図である。
【図２】情報表示片として機能する名刺を有するメモ帳の表紙を表す斜視図である。
【図３】情報表示片として機能する名刺を有するメモ帳の裏表紙を表す斜視図である。
【図４】情報表示片として機能する名刺を有するメモ帳の切取名刺部を切り取ったときの斜視図である。
【図５】情報表示片として機能する葉書を有するメモ帳の表紙を表す斜視図である。
【符号の説明】
【００３４】
１  メモ帳
２  メモ用シート
３  メモパッド部
４  表紙
５  裏表紙
６  切取名刺部
７  表紙残部
８  切り取り線
９  広告部
１０  付加価値部
１１  綴込部
１２  切り取り線
１３  メモ帳
１４  メモパッド部
１５  表紙
１６  切取葉書部
１７  表紙残部
１８  切り取り線
【図１】
2005161732.tif 000003
【図２】
2005161732.tif 000004
【図３】
2005161732.tif 000005
【図４】
2005161732.tif 000006
【図５】
2005161732.tif 000007